(57)【要約】【課題】  ＬＥＤ光源の数を増やすことなく輝度ムラを抑制して均一な照明を行うことができる照明装置を提供する。【解決手段】  内照式看板に適用する照明装置（１１）であって、前記内照式看板の底面に対して斜めに配置された基板（１３、１４）にＬＥＤ光源（１９）を取り付けたことを特徴とする。ＬＥＤ光源（１９）から斜めに発射された光が看板内で複雑な反射を繰り返し、看板全体を万遍なく照明して輝度ムラをなくし、均一な照明を達成することができる。【選択図】  図１
2010243794.tif 000002
【特許請求の範囲】
【請求項１】
内照式看板に適用する照明装置であって、
前記内照式看板の底面に対して斜めに配置された基板にＬＥＤ光源を取り付けたことを特徴とする照明装置。
【請求項２】
前記基板が異なる方向に指向する複数の基板によって構成されていることを特徴とする請求項１記載の照明装置。
【請求項３】
前記基板の斜めの角度を調節する調節機構を有することを特徴とする請求項１記載の照明装置。
【発明の詳細な説明】
【技術分野】
【０００１】
本発明は、特に内照式看板に用いて好適な照明装置に関する。
【背景技術】
【０００２】
内照式看板とは、看板内に蛍光灯などの照明装置を入れて夜間などの告知効果を高めたものであり、店舗をはじめとした様々な分野で古くから多用されている看板である。
図５は、内照式看板の構造図である。この図において、内照式看板１は、文字や図形等を描いたアクリルなどの拡散板２で箱３の前面開口部を閉鎖し、さらに、その箱３の底面に照明装置４を配置したものである。
照明装置４としては、古くから蛍光灯や白熱球が用いられてきたが、今日では、省電力性能や寿命の点で有利なＬＥＤ光源が用いられるようになってきた。
【０００３】
ところで、ＬＥＤ光源は、電極（アノードとカソード）間に直流電圧をかけると、電流が流れて発光するという仕組みの半導体素子（Light Emitting Diode：発光ダイオード）であり、白熱電球などに劣らない高輝度のものも出現しているが、ピンポイントで発光する「点光源」であることから、上述の内照式看板に用いた場合に輝度ムラが出やすく、看板全体を均一に照明するための工夫が求められる。
【０００４】
照明の均一化を意図した従来技術としては、たとえば、下記の特許文献１に記載されているように、ＬＥＤ光源を面状に複数列並べたものが知られている。図５における照明装置４は、この従来技術のものを示しており、箱３の底面に敷き詰められたｎ列（図ではｎ＝４）の発光ユニット５〜８は、それぞれ基板９に多数個（便宜的にｍ個）のＬＥＤ光源１０を配列して構成されている。
【０００５】
このようにすると、拡散板２の全体が、ｎ列×ｍ個のＬＥＤ光源１０によって万遍なく均一に照明されるので、輝度ムラがなくなり、上述の不都合が回避される。
【先行技術文献】
【特許文献】
【０００６】
【特許文献１】特開２０００−３０５２１号公報
【発明の概要】
【発明が解決しようとする課題】
【０００７】
しかしながら、前記の従来技術にあっては、看板箱の底面に多数個のＬＥＤ光源を敷き詰める構成となっているため、とりわけ、大型の看板にあっては、その看板サイズに比例してＬＥＤ光源の数が増大することとなり、コストアップにつながるという問題点がある。
【０００８】
そこで、本発明は、ＬＥＤ光源の数を増やすことなく輝度ムラを抑制して均一な照明を行うことができる照明装置を提供することを目的とする。
【課題を解決するための手段】
【０００９】
請求項１記載の発明は、内照式看板に適用する照明装置であって、前記内照式看板の底面に対して斜めに配置された基板にＬＥＤ光源を取り付けたことを特徴とする照明装置である。
請求項２記載の発明は、前記基板が異なる方向に指向する複数の基板によって構成されていることを特徴とする請求項１記載の照明装置である。
請求項３記載の発明は、前記基板の斜めの角度を調節する調節機構を有することを特徴とする請求項１記載の照明装置である。
【発明の効果】
【００１０】
本発明によれば、ＬＥＤ光源の数を増やすことなく輝度ムラを抑制して均一な照明を行うことができる照明装置を提供することができる。
【図面の簡単な説明】
【００１１】
【図１】実施形態に係る照明装置の外観図と分解図である。
【図２】内照式看板への適用概念図である。
【図３】第一の変形例を示す図である。
【図４】第二の変形例を示す図である。
【図５】内照式看板の構造図である。
【発明を実施するための形態】
【００１２】
以下、本発明の実施形態を、図面を参照しながら説明する。
図１は、実施形態に係る照明装置の外観図（ａ）と分解図（ｂ）である。この図において、照明装置１１は、長細形状のベース部材１２と、そのベース部材１２の上にハの字状に開いて載置され且つ下端部がベース部材１２の内側溝１２ａに係合する２枚の基板１３、１４と、その基板１３、１４の上に被せられ且つ下端部がベース部材１２の外側溝１２ｂに係合する断面逆Ｕ字状の透明カバー１５と、その透明カバー１５の両端を閉鎖する閉鎖部材１６、１７と、基板１３、１４に電源を供給する電源ケーブル１８とを備え、２枚の基板１３、１４のそれぞれに複数個（ここでは６個）のＬＥＤ光源１９を配列して構成されている。
【００１３】
図２は、内照式看板への適用概念図である。この図において、内照式看板は、冒頭のもの（図５参照）と同様に、文字や図形等を描いたアクリルなどの拡散板２と、その拡散板２で前面開口部が閉鎖された箱３とを有しており、箱３の底面に任意数の照明装置１１を配置する。照明装置１１の配置数は看板の大きさに依存するが、ここでは説明の便宜上、２個を配置するものとする。
【００１４】
実施形態における照明装置１１の構成上の特徴は、２枚の基板１３、１４をハの字状に開き、さらに、その２枚の基板１３、１４のハの字状に開いた外側の面にそれぞれ複数個（ここでは６個）のＬＥＤ光源１９を実装したことにある。
【００１５】
ここで、２枚の基板１３、１４のハの字状の開き角度を７０度と仮定すると、箱３の底面に対するＬＥＤ光源１９の光軸中心の角度は７０度÷２＝３５度になる。また、ＬＥＤ光源１９の照射光はある広がりを持つから、その広がり角を１２０度とすれば、２枚の基板１３、１４のそれぞれのＬＥＤ光源１９から発射された光は、箱３の底面に対して１２５度の方向に最も強く、且つ、その１２５度を中心にして１２０度の幅で断面略円形状に広がる放射特性を呈することになる。
【００１６】
したがって、箱３の深さＬを、たとえば、５０ｍｍとし、箱３の底面からＬＥＤ光源１９の発光点までの高さを１０ｍｍとすれば、ＬＥＤ光源１９から前記の１２０度の幅の広がりを持って発射された光は、箱３の底面や側面に照射される（Ｐ１、Ｐ２参照）と共に、さらに拡散板２にも照射される（Ｐ３参照）幅広い光になる。
【００１７】
そして、これらの多方向に発射される光（代表としてＰ１〜Ｐ３）が箱３の内部で複雑な反射を繰り返す結果、拡散板２の全体を万遍なく照明して輝度ムラをなくし、均一な照明を達成することができるのである。
【００１８】
なお、箱３の内部における光の反射を促すために、箱３の内面（底面や側面）を鏡面仕上げしたり高反射率の反射材を張り付けたりしておくことが好ましい。さらに、その仕上げ面や反射材の表面を“でこぼこ”にしておくと光の乱反射を促すことができるのでより好ましい。また、透明カバー１５は、半透明な素材で形成されていることが望ましい。ＬＥＤ光源１９から拡散板２に向かう直接光（図２のＰ３参照）を弱めて輝度ムラの一層の抑制を図ることができるからである
【００１９】
本発明は、以上の実施形態に限定されることなく、その技術思想の範囲内において様々な発展例や変形例を包含することはもちろんであり、たとえば、以下のようにしてもよい。
【００２０】
図３は、第一の変形例を示す図である。前記の実施形態では平面状の基板１３、１４にＬＥＤ光源１９を配置していたが、この変形例では、（ａ）に示すように、三角錐体２０を構成する三枚の基板２１〜２３の各々にＬＥＤ光源２４を配置し、または、（ｂ）に示すように、台形状の角錐体２５を構成する四枚の基板２６〜２９の各々にＬＥＤ光源３０を配置している。
【００２１】
（ａ）に示す三枚の基板２１〜２３の傾斜角度と、（ｂ）に示す四枚の基板２６〜２９の傾斜角度は、前記の実施形態における２枚の基板１３、１４の開き角度（ハの字状の開き角度）に相当する。
【００２２】
このようにしても、前記の実施形態と同様の効果が得られる上、さらに、三枚の基板２１〜２３や、四枚の基板２６〜２９の各々の向きに対応して光の発射方向を増やすことができ、箱３の内部における光の反射をより複雑にして、照明の均一化を一層高めることができるから好ましい。
【００２３】
図４は、第二の変形例を示す図であり、前記の実施形態における基板１３、１４の開き角度を調節できるようにしてものである。この図において、２枚の基板１３、１４の下端部はそれぞれ下部側ヒンジ３１、３２を介してベース部材１２に連結されており、また、２枚の基板１３、１４の上端部は上部側ヒンジ３３を介して互いに連結されている。
【００２４】
下部側ヒンジ３１、３２は３枚のプレート３１ａ、３１ｂ、３１ｃ（３２ａ、３２ｂ、３２ｃ）を二つの揺動部材３１ｄ、３１ｅ（３２ｄ、３２ｅ）で揺動自在に連結したものであり、上部側ヒンジ３３は２枚のプレート３３ａ、３３ｂを一つの揺動部材３３ｃで揺動自在に連結したものであり、いずれも「蝶番」と呼ばれる類の部品である。
【００２５】
このような変形例において、下部側ヒンジ３１、３２と上部側ヒンジ３３に連結された２枚の基板１３、１４は、図中の上下方向のスライド線３４に沿って移動可能である。すなわち、２枚の基板１３、１４は、その上部を持ち上げたり押下げたりすることにより、スライド線３４に沿って上下移動するから、いわゆるパンタグラフのような動きをすることとなり、この動きに伴い、２枚の基板１３、１４の開き角度（ハの字の開き角度）を変化させることができ、看板の大きさや箱の深さ等に応じて適切な開き角度に調節することができる
【００２６】
なお、この第二の変形例においては、開き角度を調節した後に２枚の基板１３、１４の動きを固定する仕組みを付け加えておくことが望ましい。振動等によりせっかく調節した角度が不本意に変化してしまうおそれがあるからである。このような仕組みは様々考えられるが、たとえば、前述の実施形態における閉鎖部材１６、１７によって２枚の基板１３、１４を両側から押さえ付け、角度調節後の２枚の基板１３、１４が動かないようにしてもよい。または、ビス等によって固定してもよい。
【符号の説明】
【００２７】
１１  照明装置
１３  基板
１４  基板
１９  ＬＥＤ光源
２１  基板
２２  基板
２３  基板
２６  基板
２７  基板
２８  基板
２９  基板
３１  下部側ヒンジ（調節機構）
３２  下部側ヒンジ（調節機構）
３３  上部側ヒンジ（調節機構）
【図１】
2010243794.tif 000003
【図２】
2010243794.tif 000004
【図３】
2010243794.tif 000005
【図４】
2010243794.tif 000006
【図５】
2010243794.tif 000007